(57)【要約】【課題】  釣針が魚の喉奥に針掛りして釣針を視認しづらい状態で釣上げた場合でも、釣針が魚に刺さった状態に制約を受けることなく、簡単な操作で確実に釣針を魚から外すことができる釣針外し器を提供する。【解決手段】  棒体１２の一端側に形成され棒体の長手方向に沿うように釣糸Ｌを通す通しガイド部１４と、通しガイド部１４に連設され連設基部１６から平面視で棒体の長手延長側に向かう方向に曲がり部を突設させ、返して連設基部１６と先端との間に空隙２０を設けた逆Ｕ字状曲がり部１８と、を備え、空隙２０を介して逆Ｕ字状曲がり部１８の曲がり内側２２を針軸２４が貫通するように操作して釣り針Ｓを釣り魚Ｆから外す。【選択図】図１
0003120144.tif 000002
【実用新案登録請求の範囲】
【請求項１】
棒体の一端側に形成され棒体の長手方向に沿うように釣糸を通す通しガイド部と、
通しガイド部に連設され連設基部から平面視で棒体の長手延長側に向かう方向に曲がり部を突設させ、返して連設基部と先端との間に空隙を設けた逆Ｕ字状曲がり部と、を備え、
空隙を介して逆Ｕ字状曲がり部の曲がり内側を針軸が貫通するように操作して釣り針を釣り魚から外すことを特徴とする釣り針外し器。
【請求項２】
逆Ｕ字状曲がり部が、容易に形状変形しないような金属線条から成り、
該金属線条であって、連設基部に対向する先端が連設基部との仮想接続位置からずれた位置で終端されていることを特徴とする請求項１記載の釣り針外し器。
【請求項３】
釣り針外し器が１本の針金を加工して形成されていることを特徴とする請求項１または２記載の釣り針外し器。
【請求項４】
通しガイド部が針金をらせん状に曲げ加工した部分からなることを特徴とする請求項１ないし３のいずれかに記載の釣り針外し器。
【請求項５】
逆Ｕ字状曲がり部の輪郭により形成される面が水平面から棒体の長手延長方向に対して迎え角として傾斜した面となるように逆Ｕ字状曲がり部が設けられていることを特徴とする請求項１ないし４のいずれかに記載の釣り針外し器。
【考案の詳細な説明】
【技術分野】
【０００１】
本考案は、魚を釣り上げた際に魚に食い込んだ釣針を外す際に用いられる釣針外し器に関する。
【背景技術】
【０００２】
従来、釣針が魚の口内に針掛りした状態で釣上げた場合には、例えば釣針の先端が釣竿の方向に向いた状態で刺さっているため、釣針をそのまま釣竿側に引っ張って外そうとしても釣針の先端が更に魚に食い込んで釣針を外しづらいという問題があった。また、無理やり引っ張って外しても魚に損傷を与えてしまうという問題があった。特に、魚の喉奥に針掛りした状態だと、針の位置や方向が視認できないまま手探りで外し作業を行わざるを得ず、針外し作業がさらに煩雑となり、しかも、魚が暴れる状態だと外し作業中に魚の歯等の鋭利な箇所に手が触れて怪我をするという問題があった。これらの問題に対して、たとえば特許文献１に開示されているような針外し具の提案がなされている。特許文献１によれば、同添付図面の図１に示すように、ロッド状本体（１）の先端部に、コイル状の針押体（２）を設け、釣針に結び止めた釣り糸をコイル内径部（２１）に案内する導入部（２２）を該針押体（２）に設けたものである。そして、同添付図面の図２に示すように、導入部（２２）を介して釣り糸をコイル内径部（２１）に導入しつつ該内径部（２１）を釣針の基杆部Ｈ１に挿嵌させ、その後、針押体（２）で釣り針を魚の喉の奥へと押動させつつ魚に突き刺さった釣針を外すものが開示されている。
【特許文献１】特開平７−５０９６９
【考案の開示】
【考案が解決しようとする課題】
【０００３】
しかしながら、上述したように魚の喉奥に突き刺さった釣針を外す作業をする際には、釣針を視認しづらい中を手探りで操作する場合が多い。そのため、特許文献１の針外し具によれば、コイル内径部（２１）を釣針の基杆部Ｈ１に挿嵌させるために、釣り糸Ｌに沿って針押体（２）を魚の喉奥に向かって押動させる際に、魚の喉奥の釣針が視認しづらいことから、図９に示すように、針押体（２）が釣針Ｓと釣り糸Ｌとの間に挟まれた状態で結び目Ｂにひっかかって、コイル内径部（２１）を釣針の基杆部Ｈ１に挿嵌できなくなり、該針押体（２）を介して釣り針を押動させつつ釣針を外すことが困難になるという問題があった。また、当初釣り糸をちもとＴの近傍に結び付けていても、例えば釣りの最中に釣り糸の結び目ＢがちもとＴの近傍より基杆部Ｈ１側にずれたり（図１０）、さらに、ちもとＴ自体が魚の喉に突き刺さった状態（図１０）で釣上げる場合もある。そのため、釣り糸Ｌの引張方向に対して該基杆部Ｈ１が傾斜した状態になりやすく（図１０）、その状態でコイル内径部（２１）を釣り糸Ｌに沿って押動させると、上述したと同様に針押体（２）が結び目Ｂにひっかかりやすくなり、釣針を押動させることが困難になるという問題があった。さらに、針押体（２）を回動させつつ押動させた場合には、図１１に示すように、コイル状の針押体（２）の先端側にある隙間Ｗから釣り針が抜けることで、針押体（２）全体が釣針から抜け出てしまい、針押体（２）で釣針を押動させて外すことができなくなるという問題があった。
【０００４】
本考案は、上記従来の課題に鑑みてなされたものであり、その目的は、例えば釣針が魚の喉奥に針掛りして釣針を視認しづらい状態で釣上げた場合でも、釣針が魚に刺さった状態に制約を受けることなく、簡単な操作で確実に釣針を魚から外すことができる釣針外し器を提供することにある。
【課題を解決するための手段】
【０００５】
上記の目的を達成するために、本考案は、棒体１２の一端側に形成され棒体の長手方向に沿うように釣糸Ｌを通す通しガイド部１４と、通しガイド部１４に連設され連設基部１６から平面視で棒体１２の長手延長側に向かう方向に曲がり部を突設させ、返して連設基部１６と先端４０との間に空隙２０を設けた逆Ｕ字状曲がり部１８と、を備え、空隙２０を介して逆Ｕ字状曲がり部１８の曲がり内側２２を針軸２４が貫通するように操作して釣り針Ｓを釣り魚Ｆから外す構成としている。
【０００６】
その際、逆Ｕ字状曲がり部１８が、容易に形状変形しないような金属線条２６から成り、該金属線条２６であって、連設基部１６に対向する先端が連設基部１６との仮想接続位置２８からずれた位置で終端３６されていてもよい。また、釣り針外し器１０が１本の針金３０を加工して形成されていてもよい。その際、通しガイド部１４が針金３０をらせん状に曲げ加工３２した部分からなっていてもよい。さらに、逆Ｕ字状曲がり部１８の輪郭により形成される面３４が水平面から棒体の長手延長方向に対して迎え角θとして傾斜した面となるように逆Ｕ字状曲がり部１８が設けられていてもよい。
【考案の効果】
【０００７】
本考案の釣針外し器によれば、棒体の一端側に形成され棒体の長手方向に沿うように釣糸を通す通しガイド部と、通しガイド部に連設され連設基部から平面視で棒体の長手延長側に向かう方向に曲がり部を突設させ、返して連設基部と先端との間に空隙を設けた逆Ｕ字状曲がり部と、を備え、空隙を介して逆Ｕ字状曲がり部の曲がり内側を針軸が貫通するように操作して釣り針を釣り魚から外す構成であるから、釣糸が棒体の長手方向に沿うように通しガイド部に釣糸を通せば、該釣糸に沿って曲がり部を押動させるという操作で曲がり部を釣針まで容易に導くことができるとともに、空隙を介して逆Ｕ字状曲がり部の曲がり内側を針軸が貫通するように容易に配置させることができ、その後曲がり部を回動させるという簡単な操作で釣り針を釣り魚から容易に外すことができる。したがって、釣針が魚の喉奥に針掛りして釣針を視認しづらい状態で釣上げた場合でも、例えば一方の手で釣り糸を把持して魚を吊支状に保持し、他方の手で釣針外し器を把持して操作しつつ、釣針が魚に刺さった状態に制約を受けることなく短時間で釣り針を釣り魚から外すことができる釣針外し器を提供できる。
【０００８】
また、逆Ｕ字状曲がり部が、容易に形状変形しないような金属線条から成り、該金属線条であって、連設基部に対向する先端が連設基部との仮想接続位置からずれた位置で終端されている構成であるから、該仮想接続位置と曲がり部の先端とのずれた部分を空隙とした逆Ｕ字状曲がり部を、シンプルな素材で実現できるとともに、釣針外し器の構造簡略化や低コスト化を図ることができる。
【０００９】
また、釣り針外し器が１本の針金を加工して形成されている構成であるから、釣針外し器の部品点数の大幅な低減ならびに低コスト化を図ることができる。
【００１０】
また、通しガイド部が針金をらせん状に曲げ加工した部分からなる構成であるから、簡単な構造で通しガイド部を実現でき、通しガイド部の加工工程の簡略化ならびに釣り針外し器の低コスト化を図ることができるとともに、らせん状部分を針軸周りに巻き付かせるようにして曲がり部を回動させることができるので、曲がり部を確実に釣針に係止させることができる。
【００１１】
また、逆Ｕ字状曲がり部の輪郭により形成される面が水平面から棒体の長手延長方向に対して迎え角として傾斜した面となるように逆Ｕ字状曲がり部が設けられる構成であるから、上述した空隙を介して逆Ｕ字状曲がり部の曲がり内側を針軸が貫通するように操作する際に、該傾斜した面を釣針の針軸に沿わせながら回動させるという操作で曲がり部の曲がり内側に容易に釣針の針軸を貫通させることができる。したがって、例えば、魚の喉億に針掛りした状態の釣針を外す際に視認しづらくて手探り状態で操作する場合でも、該傾斜面を介して確実に曲がり部の曲がり内側に針軸を貫通させて、釣針を迅速に釣り魚から外すことができる釣針外し器を実現できる。
【考案を実施するための最良の形態】
【００１２】
以下、添付図面を参照しつつ本考案を実施するための最良の形態について説明する。本考案の釣針外し器は、例えば釣針が魚の喉奥に針掛りして釣針を視認しづらい状態で釣上げた場合でも、釣糸に沿って釣針外し器を移動させることで釣針に確実に導くとともに、逆Ｕ字状曲がり部の先端と連設基部との空隙を介して逆Ｕ字状曲がり部内側を針軸が貫通するように操作して釣針を釣り魚から外すことができるものである。
【００１３】
図１ないし図８は、本考案の釣針外し器の実施形態を示しており、本実施形態において、釣針外し器１０は、棒体１２と、通しガイド部１４と、逆Ｕ字状曲がり部１８と、を備える。本実施形態において、棒体１２は、図１に示すように、ある程度力が加えられても容易に折曲したり捩れたりしない剛性を有し、例えば断面直径が略２〜３ｍｍ程度で魚の喉奥に届く程度の所要の長さを有する直線状の針金で形成される。そして、図１に示すように、該棒体１２の一端側に後述する通しガイド部１４ならびに逆Ｕ字状曲がり部１８を一体に設け、他端側にやや肉太で所要の長さの把持部３８を一体に設けて形成される。したがって、図８に示すように、把持部３８を把持して一端側を魚の喉奥に差込みつつ釣針を外す操作をすることができる。本実施形態において、棒体は、ステンレス製の針金で形成されるが、鋼製の針金に表面メッキを施して形成されていてもよい。また、断面径や長さも魚の種類等の必要に応じた任意の長さとすることができる。
【００１４】
なお、本実施形態において、釣針外し器１０は、図１に示すように、棒体１２、通しガイド部１４ならびに逆Ｕ字状曲がり部１８は一本の針金３０を加工して一体に形成されている。したがって、釣針外し器１０の部品点数を大幅に低減させることができるとともに、例えば所要の長さの一本の直線状針金の一端側をらせん状に曲げ加工し、さらにらせん状部分から先の部分を逆Ｕ字状に曲げ加工するという簡単な加工工程で製作することが可能となり、釣針外し器１０の製作簡略化・低コスト化を図ることができる。もちろん、一本の針金を加工して一体に形成されることなく、棒体、通しガイド部、逆Ｕ字状曲がり部を別部品として形成し、例えば溶接して一体に形成してもよい。
【００１５】
本実施形態において、通しガイド部１４は、後述する釣針外し器１０の逆Ｕ字状曲がり部１８を釣針に案内する案内部位であるとともに、曲がり部１８を回動させる際に釣針Ｓの針軸２４に巻き付き状に係合する係合部位である。そして、図１に示すように、棒体１２と同じ径の針金を棒体１２の長手方向をらせん軸としてらせん状３２に曲げ加工し、棒体１２の一端側に棒体１２と一体に形成される。具体的には、例えば略２〜３ｍｍ程度のらせん半径で、略２ｃｍ程度の長さに渡って１〜２ピッチ程度のらせん形状に形成されている。したがって、図４-ａ、４-ｂに示すように、後述する空隙２０に釣糸Ｌを通しつつ通しガイド部１４をらせん軸回りに回動させることで、釣糸Ｌを棒体１２の長手方向に沿うように通しガイド部１４に容易に通すことができる。そして、その状態で把持部３８側を操作して釣糸に沿って通しガイド部１４を移動させて、逆Ｕ字曲がり部１８を釣針Ｓまで容易に案内することができる。さらに、図５、６に示すように、らせん状部分を針軸２４周りに巻き付かせるよう係合させつつ曲がり部１８を回動させることができるので、曲がり部１８を確実に釣針の湾曲部４２に係止させることができる。したがって、らせん形状は、本実施形態のものに限らず、例えば釣針Ｓの大きさに応じたらせん半径、長さ、ならびにピッチとしてもよい。また、通しガイド部は、らせん状曲げ加工部分に限らず、直線状の棒体の一端側に釣糸を引っ掛けることができるフック部材を設けて形成してもよい。
【００１６】
本実施形態において、逆Ｕ字状曲がり部１８は、針先Ｐを針軸２４回りに回動させつつ釣り魚から離脱させるように釣針の湾曲部分４２に回動力を伝達する（図６-ｃ）。本実施形態において、逆Ｕ字状曲がり部１８は、図１、３に示すように、上述した通しガイド部１４に連設され、連設基部１６から平面視で棒体１２の長手延長側に向かう方向に、所要の長さと幅を有する曲がり部を突設させ、返して連設基部１６と先端４０との間に例えば針金の略直径程度の間隔を有する空隙２０を設けて逆Ｕ字状に形成される。特に、図３-ｂに示すように、該曲がり部１８の先端４０は連設基部１６との仮想接続位置２８から、例えば針金の略直径程度ずれた位置で終端されて連設基部１６に対向し、該ずれφが空隙２０を形成する。したがって、図１に示すように、該空隙２０は曲がり部１８の突設端側ではなく返した連設基部１６の近傍に位置することから、図５-ａないし５-ｆに示すように例えば逆Ｕ字状曲がり部１８の曲がり内側２２を針軸２４が貫通するように配置させ、その後釣針外し器１０を回動させても、曲がり部１８の突設側が釣針の湾曲部４２に当接して回動が規制される（図５-ｆ）ので該空隙２０から釣針Ｓが抜け出ることはない。したがって、釣針が魚の喉奥に針掛りして釣針を視認しづらい状態で釣上げた場合でも、曲がり部１８を釣針の湾曲部４２に係止させて回動させるという操作で、確実に釣針を釣り魚から離脱させることができる。なお、逆Ｕ字状曲がり部は、本実施形態の針金に限らず、容易に形状変形しないような線条であればフック状に戻って空隙２０を形成する構成とする限り、任意の形状（異形を含む）や構造としてもよい。
【００１７】
なお、本実施形態において、逆Ｕ字状曲がり部１８は、図２に示すように、その逆Ｕ字状曲がり部１８の輪郭により形成される面３４が水平面から棒体１２の長手延長方向に対して迎え角θとして傾斜した面（３４）となるように形成されている。したがって、また、図６に示すように、上述した空隙２０を介して逆Ｕ字状曲がり部１８の曲がり内側２２を針軸２４が貫通するように操作する際に、該傾斜した面（３４）を釣針の針軸２４に沿わせながら回動させるという操作で曲がり部の曲がり内側２２に容易に釣針の針軸２４を貫通させることができる。したがって、例えば、手探り状態で釣針外し操作する場合でも、該傾斜面（３４）を介して確実に曲がり部の曲がり内側２２に針軸２４を貫通させて、釣針を迅速に釣り魚から外すことができる
【００１８】
次に、本実施形態の釣針外し器１０の作用について図４ないし図８に基づいて説明する。まず、図８に示すように、一方の手で釣糸Ｌを把持して釣り魚を吊支した状態で支持し、他方の手で釣針外し器１０の把持部３８を把持する。次に、図４-ａに示すように、上述した空隙２０から曲がり内側２２に釣糸Ｌを通し、長手方向を軸として針外し器１０を１〜２回程度釣回動させる。そうすることで、図４-ｂに示すように、棒体１２の長手方向に沿うようにしてらせん状の通しガイド部１４に釣糸を通すことができる。つぎに、図４-ｂ、図８に示すように、釣針外し器１０を釣糸Ｌに沿って押動させ、逆Ｕ字状曲がり部１８を魚の喉奥に差し込みつつ該曲がり部１８を針軸２４部分に当接させる。その際、釣糸Ｌは棒体１２の長手方向に沿うようにして、曲がり内側２２ならびにらせん状の通しガイド部１４に係合しているので、釣糸Ｌから曲がり部１８や通しガイド部１４が離れないようにして釣糸Ｌに沿って釣糸外し器１０を押動できる。また、その際、逆Ｕ字曲がり部１８は、その曲がり部を棒体１２の長手延長側に向かう方向に突設させて形成されているので、図４-ｂに示すように、釣糸Ｌを該曲がり部１８の下側に配置させた状態で、釣針外し器１０を押動させれば、曲がり部１８が結び目Ｂに当接して押動が規制されることもなく、該曲がり部１８を針軸２４の所要の位置に配置できる。このことは、図７-ａに示すように、結び目ＢがちもとＴの近傍から針軸２４よりにずれた場合でも同様である。したがって、例えば釣針を視認しづらく手さぐり状態であったり、あるいは釣り魚が活発に動いていて操作しづらい状態であっても、釣糸Ｌに沿って曲がり部１８や通しガイド部１４を押動させることで、確実に該曲がり部２２を針軸２４まで案内させることができる（図５-ａ）。
【００１９】
次に、図５-ａ、図５-ｂに示すように、該曲がり部１８を棒体１８の長手方向を軸として回動させて、該曲がり部１８の曲がり内側２２に針軸２４を貫通させる。その際、図６-ａに示すように、該傾斜した面（３４）を釣針の針軸２４に沿わせながら回動させるという操作で曲がり内側２２に容易に釣針の針軸２４を貫通させることができる。また、その際、図７-ａに示すように、例えば釣針のちもとＴ自体が魚の喉に突き刺さった状態であっても、例えば逆Ｕ字曲がり部１８の突設端側で針軸２４を押えつつ、釣糸Ｌを引っ張ることでちもとＴが魚から外れる（図７-ｂ）ので曲がり内側２２に針軸２４を貫通させやすくなる。次に、図５-ｂないし図５-ｆに示すように、長手方向を軸として図５-ｂの状態から略1回転半程度回動させる。そうすることで、図６-ｃ、図７-ｄに示すように、らせん状に形成されるガイド部１４を針軸２４に巻き付き状に係合させつつ、逆Ｕ字状曲がり部１８を釣針の湾曲部分４２に係止させることができる。次に、その状態から同じ回動方向にさらに回動させることで、針先Ｐを針軸２４回りに回動させつつ釣り魚から針先Ｐを離脱させることができる。以上のように、本考案の釣針外し器によれば、例えば釣針が魚の喉奥に針掛りして釣針を視認しづらい状態で釣上げた場合でも、釣針が魚に刺さった状態に制約を受けることなく、簡単な操作で確実に釣針を魚から外すことができる釣針外し器を提供できる。
【００２０】
以上説明した本考案の釣針外し器は、上記した実施形態のみに限定されるものではなく、実用新案登録請求の範囲に記載した考案の本質を逸脱しない範囲において、任意の改変を行ってもよい。
【産業上の利用可能性】
【００２１】
本考案の釣針外し器１０は、一般の釣り愛好家のみならず専門の釣師に至るまで幅広く用いることができる。
【図面の簡単な説明】
【００２２】
【図１】本考案の実施形態に係る釣針外し器の平面図である。
【図２】図１の側面図である。
【図３−ａ】本考案の実施形態に係る釣針外し器の曲がり部を説明する一部省略した斜視図である。
【図３−ｂ】本考案の実施形態に係る釣針外し器の曲がり部を説明する一部省略した拡大斜視図である。
【図４−ａ】本考案の実施形態に係る釣針外し器に釣糸を通す操作の例を説明する一部省略平面図である。
【図４−ｂ】本考案の実施形態に係る釣針外し器に釣糸を通す操作の例を説明する一部省略平面図である。
【図５−ａ】本考案の実施形態に係る釣針外し器の曲がり部を釣針に当接させた状態を説明する一部省略平面図である。
【図５−ｂ】図５-ａから釣針外し器を略９０度回動させた状態を説明する一部省略した平面図である。
【図５−ｃ】図５-ｂから釣針外し器を略９０度回動させた状態を説明する一部省略した平面図である。
【図５−ｄ】図５-ｃから釣針外し器を略９０度回動させた状態を説明する一部省略した平面図である。
【図５−ｅ】図５-ｄから釣針外し器を略９０度回動させた状態を説明する一部省略した平面図である。
【図５−ｆ】曲がり部を釣針の湾曲部分に係止させた状態を説明する一部省略した平面図である。
【図６−ａ】図５-ａの状態を説明する一部省略した側面図である。
【図６−ｂ】本考案の実施形態に係る釣針外し器の曲がり部を針軸周りに回動させる状態を説明する一部省略した側面図である。
【図６−ｃ】図５-ｆの状態を説明する一部省略した側面図である。
【図７−ａ】本考案の実施形態に係る釣針外し器の他の使用例を説明する一部省略した側面図である。
【図７−ｂ】本考案の実施形態に係る釣針外し器の他の使用例を説明する一部省略した側面図である。
【図７−ｃ】本考案の実施形態に係る釣針外し器の他の使用例を説明する一部省略した側面図である。
【図７−ｄ】本考案の実施形態に係る釣針外し器の他の使用例を説明する一部省略した側面図である。
【図８】本考案の実施形態に係る釣針外し器の使用状態の全体の概略説明図である。
【図９】従来の釣針外し具の概略説明図である。
【図１０】従来の釣針外し具の概略説明図である。
【図１１】従来の釣針外し具の概略説明図である。
【符号の説明】
【００２３】
１０  釣針外し器
１２  棒体
１４  通しガイド部
１６  連設基部
１８  逆Ｕ字状曲がり部
２０  空隙
２２  曲がり内側
２４  針軸
２６  金属線条
２８  仮想接続位置
３０  針金
３２  らせん状曲げ
３４  輪郭により形成される面
３６  終端
４０  先端
（２）  針押体
（２１）  コイル内径部
Ｈ１  釣針の基杆部
Ｓ  釣針
Ｌ  釣り糸
Ｔ  ちもと
Ｂ  結び目
Ｆ  釣り魚
θ  迎え角
Ｐ  針先
φ  ずれ
【図１】
0003120144.tif 000003
【図２】
0003120144.tif 000004
【図３−ａ】
0003120144.tif 000005
【図３−ｂ】
0003120144.tif 000006
【図４−ａ】
0003120144.tif 000007
【図４−ｂ】
0003120144.tif 000008
【図５−ａ】
0003120144.tif 000009
【図５−ｂ】
0003120144.tif 000010
【図５−ｃ】
0003120144.tif 000011
【図５−ｄ】
0003120144.tif 000012
【図５−ｅ】
0003120144.tif 000013
【図５−ｆ】
0003120144.tif 000014
【図６−ａ】
0003120144.tif 000015
【図６−ｂ】
0003120144.tif 000016
【図６−ｃ】
0003120144.tif 000017
【図７−ａ】
0003120144.tif 000018
【図７−ｂ】
0003120144.tif 000019
【図７−ｃ】
0003120144.tif 000020
【図７−ｄ】
0003120144.tif 000021
【図８】
0003120144.tif 000022
【図９】
0003120144.tif 000023
【図１０】
0003120144.tif 000024
【図１１】
0003120144.tif 000025